【手続補正書】
【提出日】平成19年1月18日(2007.1.18)
【手続補正１】
【補正対象書類名】特許請求の範囲
【補正対象項目名】全文
【補正方法】変更
【補正の内容】
【特許請求の範囲】
【請求項１】
オーディオ信号を処理する方法であって、
前記オーディオ信号のスペクトル成分を表現する、初期スケール値と初期スケールファクタとを伝達する信号を受け取るステップであって、各初期スケールファクタは１以上の初期スケール値と関連付けられ、各初期スケール値は、関連付けられた初期スケールファクタに従いスケーリングされ、各初期スケール値及び関連する初期スケールファクタはそれぞれのスペクトル成分の値を表現することを特徴とするステップと、
少なくとも前記初期スケールファクタの一部を具備する初期スペクトル情報に対応するコーディング処理を行うことにより、コード化されたスペクトル情報を生成するステップと、
前記初期スケールファクタと第１のビットレート要件に応答して１以上の第１の制御パラメータを導き出すステップと、
前記１以上の制御パラメータに応答して第１のビット配置処理に従いビットを配置するステップと、
前記第１のビット配置処理により配置されたビットの数に基づく量子化分解能を用いて、少なくともスケーリングされた値の一部を量子化することで量子化されスケーリングされた値を取得するステップと、
前記初期スケールファクタの少なくとも一部と、１以上の補正されたスケールファクタと、第２のビットレート要件とに応答して、１以上の第２の制御パラメータを導き出すステップであって、前記１以上の補正されたスケールファクタは、
１以上の潜在的に正規化されない合成されスケーリングされた値を特定するために、合成されスケーリングされた値で表現される合成されたスペクトル成分と、関連する合成されたスケールファクタとを生成するデコーディング方法において、前記コード化されたスペクトル情報に適用するための、コーディング処理とは逆の処理に類似する合成処理に関して初期スペクトル情報を分析するステップと、
前記特定された潜在的に正規化されない合成されスケーリングされた値の正規化による損失を補償するために、少なくとも１以上の潜在的に正規化されない合成されスケーリングされた値に関連する合成スケールファクタに応答した前記初期スペクトル情報における初期スケールファクタの補正値を表わす１以上の補正されたスケールファクタを生成するステップと、
により取得されることを特徴とするステップと、
エンコードされた情報をエンコードされた信号にアセンブルするステップであって、前記エンコードされた情報は、前記量子化されスケーリングされた値と、前記初期スケールファクタの少なくとも一部と、前記コード化されたスペクトル情報と、前記１以上の第１の制御パラメータと、前記１以上の第２の制御パラメータとを表すことを特徴とするステップと、
を具備するオーディオ信号を処理する方法。
【請求項２】
前記コーディング処理は、マトリックス化とカップリングとスペクトル成分を再生するためのスケールファクタ形成の中から、１以上のコーディング技術を実行することを特徴とする請求項１に記載の方法。
【請求項３】
前記コード化されたスペクトル情報は、初期スケールファクタ又は前記コーディング処理により生成された前記コード化されたスペクトル情報におけるコード化されスケールファクタに関連付けられたコード化されスケーリングされた値を具備し、
前記１以上の制御パラメータは、少なくとも前記コード化されたスケールファクタの一部に応じて導き出され、
前記量子化されスケーリングされた値は、前記最初のビット配置処理により配置されたビット数に基づく量子化分解能を使って、少なくとも前記コード化されスケーリングされた値の一部を量子化することにより取得する、
ことを特徴とする請求項１に記載の方法。
【請求項４】
スケーリングされた値は浮動小数点の仮数でありスケールファクタは浮動小数点の指数であることを特徴とする請求項１に記載の方法。
【請求項５】
前記初期スペクトル情報は、潜在的に過剰正規化される可能性のある全ての合成されスケーリングされた値を特定するために、最悪の場合の条件下での合成処理に関連して分析されることを特徴とする請求項１に記載の方法。
【請求項６】
補正されたスケールファクタは、潜在的に過剰正規化される可能性のある全ての合成されスケーリングされた値の過剰正規化の発生を補償するために生成されることを特徴とする請求項５に記載の方法。
【請求項７】
前記第１のビットレートは、前記第２のビットレートに等しいことを特徴とする請求項１に記載の方法。
【請求項８】
前記初期スペクトル情報は、少なくとも合成されたスペクトル成分の一部を生成するために、合成処理の少なくとも一部を行うことにより又は前記コード化されたスペクトル情報及び前記量子化されスケーリングされた値に応答する合成処理の少なくとも一部のエミュレーションにより分析され、前記１以上の潜在的に正規化されない可能性のある合成されスケーリングされた値は、前記合成処理から結果としてでてくる１以上の正規化されずスケーリングされた値と定めることを特徴とする請求項１に記載の方法。
【請求項９】
全ての過剰正規化され合成されスケーリングされた値が特定されていることを特徴とする請求項８に記載の方法。
【請求項１０】
全ての過剰正規化され合成されスケーリングされた値の正規化と、少なくとも一部の不足正規化され合成されスケーリングされた値の正規化とに反映させるために、修正されたスケールファクタが生成されることを特徴とする請求項９に記載の方法。
【請求項１１】
エンコードされたオーディオ情報をトランスコーディングする方法であって、
第１の量子化されスケーリングされた値と、オーディオ信号のスペクトル成分を表現するスケールファクタとを伝達する第１のエンコードされた信号を受信するステップであって、第１のスケールファクタの各々は、１以上の第１の量子化されスケーリングされた値と関連付けられ、第１の量子化されスケーリングされた値の各々は、関連付けられた第１のスケールファクタによりスケーリングされ、第１の量子化されスケーリングされた値の各々及び関連付けられた第１のスケールファクタとがそれぞれスペクトル成分を表現することを特徴とするステップと、
前記第１のスケールファクタから第２のスケールファクタを導き出すステップであって、１以上の前記第２のスケールファクタは対応する第１のスケールファクタとは値が異なることを特徴とするステップと、
１以上の第１の制御パラメータに応答して第１のビット配置処理に従いビットを配置し、前記第１のビット配置処理により配置されたビット数に基づく量子化分解能に従い逆量子化することで前記第１の量子化されスケーリングされた値から逆量子化されスケーリングされた値を取得するステップと、
１以上の第２の制御パラメータに応答して第２のビット配置処理に従いビットを配置し、前記第２のビット配置処理により配置されたビット数に基づく量子化分解能を用いて逆量子化されスケーリングされた値を量子化することで前記第２の量子化されスケーリングされた値を取得するステップであって、各第２のスケールファクタは１以上の第２の量子化されスケーリングされた値と関連付けられ、各第２の量子化されスケーリングされた値は、関連付けられた第２のスケールファクタに従いスケーリングされ、各第２の量子化されスケーリングされた値及び関連付けられた第２のスケールファクタはそれぞれのスペクトル成分の値を表現することを特徴とするステップと、
前記第２の量子化されスケーリングされた値と、前記第２のスケールファクタと、１以上の第２の制御パラメータを第２のエンコードされた信号にアセンブルするステップと、
を具備するエンコードされたオーディオ情報をトランスコーディングする方法。
【請求項１２】
前記第１のエンコードされた信号から１以上の第１の制御パラメータと１以上の第２の制御パラメータとを取得するステップを具備することを特徴とする請求項１１に記載の方法。
【請求項１３】
前記１以上の第１の制御パラメータは、前記第１のエンコードされた信号のビットレート要件に応答して導き出され、前記１以上の第２の制御パラメータは、前記第２のエンコードされた信号のビットレート要件に応答して導き出されたことを特徴とする請求項１２に記載の方法。
【請求項１４】
前記第２のスケールファクタと前記第２のエンコードされた信号のビットレート要件から、前記１以上の第２の制御パラメータを導き出すステップを具備することを特徴とする請求項１１に記載の方法。
【請求項１５】
前記第１のビット配置処理は、前記第１のエンコードされた信号の第１のビットレートに従って行われ、前記第２のビット配置処理は、第１のビットレートに等しい前記第２のエンコードされた信号の第２のビットレートに従って行われることを特徴とする請求項１１に記載の方法。
【請求項１６】
１以上の前記逆量子化されスケーリングされた値に応答するコーディング処理を行うことによりコード化されたスペクトル情報を生成するステップを具備することを特徴とする請求項１１に記載の方法。
【請求項１７】
前記コーディング処理は、マトリックス化、逆マトリックス化、カップリング、デカップリング、スペクトル成分を再生するためのスケールファクタ形成、及び、スペクトル成分再生の中から、１以上のコーディング技術を実行することにより前記第２のスケールファクタを生成することを特徴とする請求項１６に記載の方法。
【請求項１８】
オーディオ信号を処理するエンコーダであって、
前記オーディオ信号のスペクトル成分を表現する、初期スケール値と初期スケールファクタとを伝達する信号を受け取る受信手段であって、各初期スケールファクタは１以上の初期スケール値と関連付けられ、各初期スケール値は、関連付けられた初期スケールファクタに従いスケーリングされ、各初期スケール値及び関連する初期スケールファクタはそれぞれのスペクトル成分の値を表現することを特徴とする受信手段と、
少なくとも前記初期スケールファクタの一部を具備する初期スペクトル情報に対応するコーディング処理を行うことにより、コード化されたスペクトル情報を生成する手段と、
前記初期スケールファクタと第１のビットレート要件に応答して１以上の第１の制御パラメータを導き出す手段と、
前記１以上の制御パラメータに応答して第１のビット配置処理に従いビットを配置する手段と、
前記第１のビット配置処理により配置されたビットの数に基づく量子化分解能を用いて、少なくともスケーリングされた値の一部を量子化することで量子化されスケーリングされた値を取得する手段と、
前記初期スケールファクタの少なくとも一部と、１以上の補正されたスケールファクタと、第２のビットレート要件とに応答して、１以上の第２の制御パラメータを導き出す手段であって、前記１以上の補正されたスケールファクタは、
１以上の潜在的に正規化されない合成されスケーリングされた値を特定するために、合成されスケーリングされた値で表現される合成されたスペクトル成分と、関連する合成されたスケールファクタとを生成するデコーディング方法において、前記コード化されたスペクトル情報に適用するための、コーディング処理とは逆の処理に類似する合成処理に関して初期スペクトル情報を分析するステップと、
前記特定された潜在的に正規化されない合成されスケーリングされた値の正規化による損失を補償するために、少なくとも１以上の潜在的に正規化されない合成されスケーリングされた値に関連する合成スケールファクタに応答した前記初期スペクトル情報における初期スケールファクタの補正値を表わす１以上の補正されたスケールファクタを生成するステップと、
により取得されることを特徴とする手段と、
エンコードされた情報をエンコードされた信号にアセンブルする手段であって、前記エンコードされた情報は、前記量子化されスケーリングされた値と、前記初期スケールファクタの少なくとも一部と、前記コード化されたスペクトル情報と、前記１以上の第１の制御パラメータと、前記１以上の第２の制御パラメータとを表すことを特徴とする手段と、
を具備するエンコーダ
【請求項１９】
前記コーディング処理は、マトリックス化とカップリングとスペクトル成分を再生するためのスケールファクタ形成の中から、１以上のコーディング技術を実行することを特徴とする請求項１８に記載のエンコーダ。
【請求項２０】
前記コード化されたスペクトル情報は、初期スケールファクタ又は前記コーディング処理により生成された前記コード化されたスペクトル情報におけるコード化されたスケールファクタに関連付けられたコード化されスケーリングされた値を具備し、
前記１以上の制御パラメータは、少なくとも前記コード化されたスケールファクタの一部に応じて導き出され、
前記量子化されスケーリングされた値は、前記最初のビット配置処理により配置されたビット数に基づく量子化分解能を使って、少なくとも前記コード化されスケーリングされた値の一部を量子化することにより取得する、
ことを特徴とする請求項１８に記載のエンコーダ。
【請求項２１】
スケーリングされた値は浮動小数点の仮数でありスケールファクタは浮動小数点の指数であることを特徴とする請求項１８に記載のエンコーダ。
【請求項２２】
前記初期スペクトル情報は、潜在的に過剰正規化される可能性のある全ての合成されスケーリングされた値を特定するために、最悪の場合の条件下での合成処理に関連して分析されることを特徴とする請求項１８に記載のエンコーダ。
【請求項２３】
補正されたスケールファクタは、潜在的に過剰正規化される可能性のある全ての合成されスケーリングされた値の過剰正規化の発生を補償するために生成されることを特徴とする請求項２２に記載のエンコーダ。
【請求項２４】
前記第１のビットレートは、前記第２のビットレートに等しいことを特徴とする請求項１８に記載のエンコーダ。
【請求項２５】
前記初期スペクトル情報は、少なくとも合成されたスペクトル成分の一部を生成するために、合成処理の少なくとも一部を行うことにより又は前記コード化されたスペクトル情報及び前記量子化されスケーリングされた値に応答する合成処理の少なくとも一部のエミュレーションにより分析され、前記１以上の潜在的に正規化されない可能性のある合成されスケーリングされた値は、前記合成処理から結果としてでてくる１以上の正規化されずスケーリングされた値と定めることを特徴とする請求項１８に記載のエンコーダ。
【請求項２６】
全ての過剰正規化され合成されスケーリングされた値が特定されていることを特徴とする請求項２５に記載のエンコーダ。
【請求項２７】
全ての過剰正規化され合成されスケーリングされた値の正規化と、少なくとも一部の不足正規化され合成されスケーリングされた値の正規化とに反映させるために、修正されたスケールファクタが生成されることを特徴とする請求項２６に記載のエンコーダ。
【請求項２８】
エンコードされたオーディオ情報をトランスコーディングするトランスコーダであって、
第１の量子化されスケーリングされた値と、オーディオ信号のスペクトル成分を表現するスケールファクタとを伝達する第１のエンコードされた信号を受信する手段であって、第１のスケールファクタの各々は、１以上の第１の量子化されスケーリングされた値と関連付けられ、第１の量子化されスケーリングされた値の各々は、関連付けられた第１のスケールファクタによりスケーリングされ、第１の量子化されスケーリングされた値の各々及び関連付けられた第１のスケールファクタとがそれぞれスペクトル成分を表現することを特徴とする、手段と、
前記第１のスケールファクタから第２のスケールファクタを導き出す手段であって、１以上の前記第２のスケールファクタは対応する第１のスケールファクタとは値が異なることを特徴とする手段と、
１以上の第１の制御パラメータに応答して第１のビット配置処理に従いビットを配置し、前記第１のビット配置処理により配置されたビット数に基づく量子化分解能に従い逆量子化することで前記第１の量子化されスケーリングされた値から逆量子化されスケーリングされた値を取得する手段であって、各第２のスケールファクタは１以上の第２の量子化されスケーリングされた値と関連付けられ、各第２の量子化されスケーリングされた値は、関連付けられた第２のスケールファクタに従いスケーリングされ、各第２の量子化されスケーリングされた値及び関連付けられた第２のスケールファクタはそれぞれのスペクトル成分の値を表現することを特徴とする手段と、
１以上の第２の制御パラメータに応答して第２のビット配置処理に従いビットを配置し、前記第２のビット配置処理により配置されたビット数に基づく量子化分解能を用いて逆量子化されスケーリングされた値を量子化することで前記第２の量子化されスケーリングされた値を取得する手段と、
前記第２の量子化されスケーリングされた値と、前記第２のスケールファクタと、１以上の第２の制御パラメータを第２のエンコードされた信号にアセンブルする手段と、
を具備するトランスコーダ。
【請求項２９】
前記第１のエンコードされた信号から１以上の第１の制御パラメータと１以上の第２の制御パラメータとを取得する手段を具備することを特徴とする請求項２８に記載のトランスコーダ。
【請求項３０】
前記１以上の第１の制御パラメータは、前記第１のエンコードされた信号のビットレート要件に応答して導き出され、前記１以上の第２の制御パラメータは、前記第２のエンコードされた信号のビットレート要件に応答して導き出されたことを特徴とする請求項２９に記載のトランスコーダ。
【請求項３１】
前記第２のスケールファクタと前記第２のエンコードされた信号のビットレート要件から、前記１以上の第２の制御パラメータを導き出すステップを具備することを特徴とする請求項２８に記載のトランスコーダ。
【請求項３２】
前記第１のビット配置処理は、前記第１のエンコードされた信号の第１のビットレートに従って行われ、前記第２のビット配置処理は、第１のビットレートに等しい前記第２のエンコードされた信号の第２のビットレートに従って行われることを特徴とする請求項２８に記載のトランスコーダ。
【請求項３３】
１以上の前記逆量子化されスケーリングされた値に応答するコーディング処理を行うことによりコード化されたスペクトル情報を生成する手段を具備することを特徴とする請求項２８に記載のトランスコーダ。
【請求項３４】
前記コーディング処理は、マトリックス化、逆マトリックス化、カップリング、デカップリング、スペクトル成分を再生するためのスケールファクタ形成、及び、スペクトル成分再生の中から、１以上のコーディング技術を実行することにより前記第２のスケールファクタを生成することを特徴とする請求項３３に記載のトランスコーダ。
【請求項３５】
装置により実行できる命令のプログラムを伝達するための媒体であって、命令のプログラムを実行することにより、装置にオーディオ情報をトランスコーディングする方法を実行させ、該方法は、
前記オーディオ信号のスペクトル成分を表現する、初期スケール値と初期スケールファクタとを伝達する信号を受け取るステップであって、各初期スケールファクタは１以上の初期スケール値と関連付けられ、各初期スケール値は、関連付けられた初期スケールファクタに従いスケーリングされ、各初期スケール値及び関連する初期スケールファクタはそれぞれのスペクトル成分の値を表現することを特徴とするステップと、
少なくとも前記初期スケールファクタの一部を具備する初期スペクトル情報に対応するコーディング処理を行うことにより、コード化されたスペクトル情報を生成するステップと、
前記初期スケールファクタと第１のビットレート要件に応答して１以上の第１の制御パラメータを導き出すステップと、
前記１以上の制御パラメータに応答して第１のビット配置処理に従いビットを配置するステップと、
前記第１のビット配置処理により配置されたビットの数に基づく量子化分解能を用いて、少なくともスケーリングされた値の一部を量子化することで量子化されスケーリングされた値を取得するステップと、
前記初期スケールファクタの少なくとも一部と、１以上の補正されたスケールファクタと、第２のビットレート要件とに応答して、１以上の第２の制御パラメータを導き出すステップであって、前記１以上の補正されたスケールファクタは、
１以上の潜在的に正規化されない合成されスケーリングされた値を特定するために、合成されスケーリングされた値で表現される合成されたスペクトル成分と、関連する合成されたスケールファクタとを生成するデコーディング方法において、前記コード化されたスペクトル情報に適用するための、コーディング処理とは逆の処理に類似する合成処理に関して初期スペクトル情報を分析するステップと、
前記特定された潜在的に正規化されない合成されスケーリングされた値の正規化による損失を補償するために、少なくとも１以上の潜在的に正規化されない合成されスケーリングされた値に関連する合成スケールファクタに応答した前記初期スペクトル情報における初期スケールファクタの補正値を表わす１以上の補正されたスケールファクタを生成するステップと、
により取得されることを特徴とするステップと、
エンコードされた情報をエンコードされた信号にアセンブルするステップであって、前記エンコードされた情報は、前記量子化されスケーリングされた値と、前記初期スケールファクタの少なくとも一部と、前記コード化されたスペクトル情報と、前記１以上の第１の制御パラメータと、前記１以上の第２の制御パラメータとを表すことを特徴とするステップと、
を具備する媒体。
【請求項３６】
前記コーディング処理は、マトリックス化とカップリングとスペクトル成分を再生するためのスケールファクタ形成の中から、１以上のコーディング技術を実行することを特徴とする請求項３５に記載の媒体。
【請求項３７】
前記コード化されたスペクトル情報は、初期スケールファクタ又は前記コーディング処理により生成された前記コード化されたスペクトル情報におけるコード化されたスケールファクタに関連付けられたコード化されスケーリングされた値を具備し、
前記１以上の制御パラメータは、少なくとも前記コード化されたスケールファクタの一部に応じて導き出され、
前記量子化されスケーリングされた値は、前記最初のビット配置処理により配置されたビット数に基づく量子化分解能を使って、少なくとも前記コード化されスケーリングされた値の一部を量子化することにより取得する、
ことを特徴とする請求項３５に記載の媒体。
【請求項３８】
スケーリングされた値は浮動小数点の仮数でありスケールファクタは浮動小数点の指数であることを特徴とする請求項３５に記載の媒体。
【請求項３９】
前記初期スペクトル情報は、潜在的に過剰正規化される可能性のある全ての合成されスケーリングされた値を特定するために、最悪の場合の条件下での合成処理に関連して分析されることを特徴とする請求項３５に記載の媒体。
【請求項４０】
補正されたスケールファクタは、潜在的に過剰正規化される可能性のある全ての合成されスケーリングされた値の過剰正規化の発生を補償するために生成されることを特徴とする請求項３９に記載の媒体。
【請求項４１】
前記第１のビットレートは、前記第２のビットレートに等しいことを特徴とする請求項３５に記載の媒体。
【請求項４２】
前記初期スペクトル情報は、少なくとも合成されたスペクトル成分の一部を生成するために、合成処理の少なくとも一部を行うことにより又は前記コード化されたスペクトル情報及び前記量子化されスケーリングされた値に応答する合成処理の少なくとも一部のエミュレーションにより分析され、前記１以上の潜在的に正規化されない可能性のある合成されスケーリングされた値は、前記合成処理から結果としてでてくる１以上の正規化されずスケーリングされた値と定めることを特徴とする請求項３５に記載の媒体。
【請求項４３】
全ての過剰正規化され合成されスケーリングされた値が特定されていることを特徴とする請求項４２に記載の媒体。
【請求項４４】
全ての過剰正規化され合成されスケーリングされた値の正規化と、少なくとも一部の不足正規化され合成されスケーリングされた値の正規化とに反映するために、修正されたスケールファクタが生成されることを特徴とする請求項４３に記載の媒体。
【請求項４５】
装置により実行できる命令のプログラムを伝達するための媒体であって、命令のプログラムを実行することにより、装置にオーディオ情報をトランスコーディングする方法を実行させ、該方法は、
第１の量子化されスケーリングされた値と、オーディオ信号のスペクトル成分を表現するスケールファクタとを伝達する第１のエンコードされた信号を受信するステップであって、第１のスケールファクタの各々は、１以上の第１の量子化されスケーリングされた値と関連付けられ、第１の量子化されスケーリングされた値の各々は、関連付けられた第１のスケールファクタによりスケーリングされ、第１の量子化されスケーリングされた値の各々及び関連付けられた第１のスケールファクタとがそれぞれスペクトル成分を表現することを特徴とする、ステップと、
前記第１のスケールファクタから第２のスケールファクタを導き出すステップであって、１以上の前記第２のスケールファクタは対応する第１のスケールファクタとは値が異なることを特徴とするステップと、
１以上の第１の制御パラメータに応答して第１のビット配置処理に従いビットを配置し、前記第１のビット配置処理により配置されたビット数に基づく量子化分解能に従い逆量子化することで前記第１の量子化されスケーリングされた値から逆量子化されスケーリングされた値を取得するステップと、
１以上の第２の制御パラメータに応答して第２のビット配置処理に従いビットを配置し、前記第２のビット配置処理により配置されたビット数に基づく量子化分解能を用いて逆量子化されスケーリングされた値を量子化することで前記第２の量子化されスケーリングされた値を取得するステップであって、各第２のスケールファクタは１以上の第２の量子化されスケーリングされた値と関連付けられ、各第２の量子化されスケーリングされた値は、関連付けられた第２のスケールファクタに従いスケーリングされ、各第２の量子化されスケーリングされた値及び関連付けられた第２のスケールファクタはそれぞれのスペクトル成分の値を表現することを特徴とするステップと、
前記第２の量子化されスケーリングされた値と、前記第２のスケールファクタと、１以上の第２の制御パラメータを第２のエンコードされた信号にアセンブルするステップと、
を具備する媒体。
【請求項４６】
前記第１のエンコードされた信号から１以上の第１の制御パラメータと１以上の第２の制御パラメータとを取得するステップを具備することを特徴とする請求項４５に記載の媒体。
【請求項４７】
前記１以上の第１の制御パラメータは、前記第１のエンコードされた信号のビットレート要件に応答して導き出され、前記１以上の第２の制御パラメータは、前記第２のエンコードされた信号のビットレート要件に応答して導き出されたことを特徴とする請求項４６に記載の媒体。
【請求項４８】
前記第２のスケールファクタと前記第２のエンコードされた信号のビットレート要件から、前記１以上の第２の制御パラメータを導き出すステップを具備することを特徴とする請求項４５に記載の媒体。
【請求項４９】
前記第１のビット配置処理は、前記第１のエンコードされた信号の第１のビットレートに従って行われ、前記第２のビット配置処理は、第１のビットレートに等しい前記第２のエンコードされた信号の第２のビットレートに従って行われることを特徴とする請求項４５に記載の媒体。
【請求項５０】
１以上の前記逆量子化されスケーリングされた値に応答するコーディング処理を行うことによりコード化されたスペクトル情報を生成するステップを具備することを特徴とする請求項４５に記載の媒体。
【請求項５１】
前記コーディング処理は、マトリックス化、逆マトリックス化、カップリング、デカップリング、スペクトル成分を再生するためのスケールファクタ形成、及び、スペクトル成分再生の中から、１以上のコーディング技術を実行することにより前記第２のスケールファクタを生成することを特徴とする請求項５０に記載の媒体。